(57)【要約】【課題】小型化と撮像面でのテレセントリック性とを満足しつつ、撮影時における光量分布の非対称性を光学的に改善することができるようにする。【解決手段】複数のレンズエレメントＧ１，Ｇ２，Ｇ３を有する撮像レンズ１と、撮像レンズ１における光束を制限する光学的開口絞り２と、撮像レンズ１によって形成された被写体像に応じた電気信号を出力する撮像素子５とを備える。また、第１のレンズエレメントＧ１を挟んで光学的開口絞り２とは光軸１０上で異なる位置に配置されたシャッタ３と、撮像レンズ１の光路に対して挿脱可能に構成された光量むら補正手段としてのＮＤフィルタ４とを備える。ＮＤフィルタ４は、シャッタ３の開閉動作に応じて生ずる撮像素子５の撮像面での光量むらを補正するために、シャッタ３の閉じ動作に先立って露光時に撮像レンズ１の光路中に挿入される。ＮＤフィルタ４は、光量むらに対応する濃度分布を有する。【選択図】図１
2007256565.tif 000002
【特許請求の範囲】
【請求項１】
複数のレンズエレメントを有する撮像レンズと、
前記撮像レンズにおける光束を制限する光学的開口絞りと、
前記撮像レンズによって形成された被写体像に応じた電気信号を出力する撮像素子と、
前記光学的開口絞りとは光軸上で異なる位置に配置され、露光時に前記撮像レンズの光路中で開閉動作するシャッタと、
前記撮像レンズの光路に対して挿脱可能に構成されると共に、前記シャッタの開閉動作に応じて生ずる前記撮像素子の撮像面での光量むらを補正するために、露光時に前記撮像レンズの光路中に挿入される光量むら補正手段と
を備えたことを特徴とする撮像装置。
【請求項２】
前記光学的開口絞りが前記撮像レンズの最も物体側に配置され、
前記シャッタが、１つ以上の前記レンズエレメントを挟んで前記光学的開口絞りに対して像側に配置されている
ことを特徴とする請求項１に記載の撮像装置。
【請求項３】
前記光量むら補正手段は、前記光量むらに対応する濃度分布を有するＮＤフィルタである
ことを特徴とする請求項１または２に記載の撮像装置。
【請求項４】
前記ＮＤフィルタは、前記シャッタが閉じ始める領域から閉じ終わる領域に向かって濃度が濃くなる濃度分布を有する
ことを特徴とする請求項３に記載の撮像装置。
【請求項５】
前記光量むら補正手段として、互いに濃度分布の異なる前記ＮＤフィルタを複数有し、
撮影条件に応じて、前記複数のＮＤフィルタが選択的に使用されるようにした
ことを特徴とする請求項３または４に記載の撮像装置。
【請求項６】
前記光量むら補正手段は、露光時に前記撮像レンズの光路の一部を遮光する遮光板である
ことを特徴とする請求項１または２に記載の撮像装置。
【請求項７】
前記光量むら補正手段として、互いに遮光領域の大きさの異なる前記遮光板を複数有し、
撮影条件に応じて、前記複数の遮光板が選択的に使用されるようにした
ことを特徴とする請求項６に記載の撮像装置。
【請求項８】
前記遮光板の前記光路に対する挿入量が調整可能に構成され、
撮影条件に応じて前記遮光板の挿入量が変化するように構成されている
ことを特徴とする請求項６に記載の撮像装置。
【発明の詳細な説明】
【技術分野】
【０００１】
本発明は、ＣＣＤ（Charge Coupled Device）やＣＭＯＳ（Complementary Metal Oxide Semiconductor）等の撮像素子を用いた撮像装置に関する。
【背景技術】
【０００２】
ＣＣＤやＣＭＯＳ等の撮像素子は近年、非常に小型化および高画素化が進んでいる。そのため、撮像機器本体、ならびにそれに適用される撮像光学系にも小型化が求められている。特に、携帯用端末機器では撮像光学系における全長の短縮化と低背化（光軸に直交する径方向の小型化）が強く求められる。撮像光学系の小型化を図るためには、シャッタ機構を撮像レンズ系の内部に配置することが好ましい。シャッタ機構の種類としては、１枚のシャッタ羽根を往復運動させることにより露光開口を開閉させるいわゆる１枚羽根タイプのものや、露光開口を挟んで２枚のシャッタ羽根を互いに相反する方向に往復運動させるいわゆる２枚羽根タイプのものがある。また、露光開口は通常円形であるため、もっと多く（例えば５枚）のシャッタ羽根を用いて円形に近い開口を保ったまま開閉動作をさせるタイプもある。しかしながら、携帯用端末機器のように小型化および低コスト化が要求されるものでは、１枚羽根タイプや２枚羽根タイプを用いることが多い。
【０００３】
特許文献１には、撮像レンズ系の内部に配置されたシャッタ装置の構成例が記載されている。特許文献１には、光束を完全に遮光するシャッタ羽根と、半透明のＮＤフィルタ（Neutral  Density）羽根とを有するシャッタ装置が記載されている。特許文献１におけるＮＤフィルタ羽根は、全体的な光量を調節するために用いられるものであり、必要な露光量を得るために選択的に用いられるものである。
【特許文献１】特開２００５−２７４８５６号公報
【発明の開示】
【発明が解決しようとする課題】
【０００４】
一方、撮像光学系では、小型化のほかにもテレセントリック性、すなわち、撮像素子への主光線の入射角度が光軸に対して平行に近く（撮像面における入射角度が撮像面の法線に対してゼロに近く）なるようにすることも求められている。テレセントリック性を確保するためには、光学的開口絞りをなるべく物体側に配置することが有利である。特にレンズ枚数の少ない撮像レンズでは、最も物体側に光学的開口絞りを配置することが好ましい。しかしながら、上述したように小型化のためにシャッタ機構は撮像レンズ系の内部に配置することが好ましく、また、光量を均一に絞るために通常、シャッタ羽根は光学的開口絞りの近傍に配置することが好ましいとされているため、小型化とテレセントリック性とを同時に満足することは困難である。例えば、シャッタ羽根位置を撮像レンズ系の内部に配置した状態で、光学的開口絞りをシャッタ羽根位置よりも物体側にシフトした位置に持ってきた場合、テレセントリック性は良化することができるが、撮像面において非対称な光量ばらつき（光量むら）が生じてしまう。
【０００５】
図１６は、シャッタ羽根を光学的開口絞りの近傍に配置した場合における撮像面での光量分布の一例を示している。この場合、周辺部での光量分布は四隅で同じである。一方、図１７は、光学的開口絞りをシャッタ羽根よりも物体側に配置した場合における撮像面での光量分布の一例を示している。なお、図１７では、１枚のシャッタ羽根が図１７の右上の領域から閉じ始め、左下の領域で閉じ終わるようなシャッタ機構を想定している。この場合、光軸上でシャッタ羽根の位置と光学的開口絞りの位置とに違いがあり、かつ、露光開口面において右上の領域と左下の領域とでシャッタ羽根が閉じるタイミングに差があることにより、撮像面において光量分布に非対称性が生ずる。すなわち、撮像面において、シャッタ羽根が閉じ終わる左下の領域は、シャッタ羽根が閉じ始める右上の領域に比べて露光時間が相対的に長くなるため露光量が多くなる。このような非対称性は、多数のシャッタ羽根を用いて円形に近い露光開口を保ったまま開閉動作をするような場合には生じにくく、１枚羽根のときに生じやすい。このような光量分布の非対称性を解決する手段として、従来、光学的な手段ではなく、画像処理によって解決することが知られている。しかしながら、画像処理による手法では、画像処理用の演算装置に負荷が掛かるため処理に時間的が掛かり、また電力を余計に消費するという問題がある。また、特許文献１には、このような光量むらを解決する手段については記載されていない。
【０００６】
本発明はかかる問題点に鑑みてなされたもので、その目的は、小型化と撮像面でのテレセントリック性とを満足しつつ、撮影時における光量分布の非対称性を光学的に改善することができるようにした撮像装置を提供することにある。
【課題を解決するための手段】
【０００７】
本発明による撮像装置は、複数のレンズエレメントを有する撮像レンズと、撮像レンズにおける光束を制限する光学的開口絞りと、撮像レンズによって形成された被写体像に応じた電気信号を出力する撮像素子と、１つ以上のレンズエレメントを挟んで光学的開口絞りとは光軸上で異なる位置に配置され、露光時に撮像レンズの光路中で開閉動作するシャッタと、撮像レンズの光路に対して挿脱可能に構成されると共に、シャッタの開閉動作に応じて生ずる撮像素子の撮像面での光量むらを補正するために、露光時に撮像レンズの光路中に挿入される光量むら補正手段とを備えたものである。
【０００８】
本発明による撮像装置では、光量むら補正手段が露光時に撮像レンズの光路中に挿入される。これにより、テレセントリック性を確保するために光学的開口絞りをなるべく物体側に配置すると共に、小型化のためにシャッタを光学的開口絞りとは光軸上で異なる位置に配置したとしても、光量むら補正手段によって、シャッタの開閉動作に応じて生ずる撮像面での光量むらが補正される。これにより、小型化と撮像面でのテレセントリック性とを満足しつつ、撮影時における光量分布の非対称性が光学的に改善される。
【０００９】
本発明による撮像装置において、光学的開口絞りが撮像レンズの最も物体側に配置され、シャッタが、１つ以上のレンズエレメントを挟んで光学的開口絞りに対して像側に配置されていても良い。この構成の場合、光学的開口絞りが撮像レンズの最も物体側に配置されていることで、テレセントリック性の確保に有利となる。また、シャッタが撮像レンズの内部に配置されるので、小型化にも有利となる。
【００１０】
本発明による撮像装置において、光量むら補正手段は例えば、光量むらに対応する濃度分布を有するＮＤフィルタで構成することができる。この構成の場合において、ＮＤフィルタは、シャッタが閉じ始める領域から閉じ終わる領域に向かって濃度が濃くなる濃度分布を有していることが好ましい。また、光量むら補正手段として、互いに濃度分布の異なるＮＤフィルタを複数有し、撮影条件に応じて、複数のＮＤフィルタが選択的に使用されるようにしても良い。
【００１１】
また、本発明による撮像装置において、光量むら補正手段が、露光時に撮像レンズの光路の一部を遮光する遮光板であっても良い。この構成の場合において、光量むら補正手段として、互いに遮光領域の大きさの異なる遮光板を複数有し、撮影条件に応じて、複数の遮光板が選択的に使用されるようにしても良い。もしくは、遮光板の光路に対する挿入量が調整可能に構成され、撮影条件に応じて遮光板の挿入量が変化するようにように構成されていても良い。
【発明の効果】
【００１２】
本発明の撮像装置によれば、撮像レンズの光路に対して挿脱可能に構成された光量むら補正手段を備え、その光量むら補正手段を露光時に撮像レンズの光路中に挿入するようにしたので、小型化と撮像面でのテレセントリック性とを満足しつつ、撮影時における光量分布の非対称性を光学的に改善することができる。
【発明を実施するための最良の形態】
【００１３】
以下、本発明の実施の形態について図面を参照して詳細に説明する。
［第１の実施の形態］
【００１４】
図１は、本発明の第１の実施の形態に係る撮像装置の構成例を示している。本実施の形態に係る撮像装置は、例えばカメラ付き携帯電話機やデジタルスチルカメラ等に用いることができる。この撮像装置は、複数のレンズエレメントＧ１，Ｇ２，Ｇ３を有する撮像レンズ１と、撮像レンズ１における光束を制限する光学的開口絞り２と、露光時に撮像レンズ１の光路中で開閉動作するシャッタ３と、撮像レンズ１の光路に対して挿脱可能に構成された光量むら補正手段としてのＮＤフィルタ４と、撮像レンズ１によって形成された被写体像に応じた電気信号（撮像信号）を出力する撮像素子５とを備えている。撮像素子５は、ＣＣＤやＣＭＯＳ等で構成されている。
【００１５】
この撮像装置はまた、シャッタ３を開閉駆動するシャッタ駆動部１１と、ＮＤフィルタ４を挿脱駆動するフィルタ駆動部１２と、撮像素子５を電気的に駆動する撮像素子駆動部１３と、撮像素子５からの撮像信号に各種の画像処理を施す信号処理回路１４と、操作部１５と、これらの回路ブロックを制御する制御部１６とを備えている。そのほか、図示しないが、信号処理回路１４を経た後の画像データを保存する画像メモリや、撮影時の画像をモニタリング等するための表示部（例えば液晶モニタ）などを備えている。操作部１５は、撮影時に撮影開始を指示する撮影スイッチ（シャッタボタン）や、撮影時における露光量（Ｆナンバー）などの撮影条件を指示する調整スイッチを含んでいる。制御部１６は、ＣＰＵ（Central Processing Uunit）を含んで構成されている。
【００１６】
撮像レンズ１は、光軸１０に沿って物体側から順に、第１レンズエレメントＧ１と、第２レンズエレメントＧ２と、第３レンズエレメントＧ３とを有している。ただし、撮像レンズ１は２または４以上のレンズエレメントで構成されていても良い。また撮像レンズ１は、単焦点レンズであってもズームレンズであっても良い。
【００１７】
光学的開口絞り２とシャッタ３は、光軸１０上で異なる位置に配置されている。この場合において、光学的開口絞り２は、撮像面でのテレセントリック性を確保するために、撮像レンズ１においてなるべく物体側に配置されていることが好ましい。一方、シャッタ３は、小型化を図るために撮像レンズ１の内部（レンズエレメント間）に配置されていることが好ましい。図１の構成例では光学的開口絞り２を撮像レンズ１の最も物体側（第１レンズエレメントＧ１の前側）に配置し、シャッタ３を第１レンズエレメントＧ１と第２レンズエレメントＧ２との間に配置している。これにより、シャッタ３が、第１レンズエレメントＧ１を挟んで光学的開口絞り２に対して像側に配置されている。なお、光学的開口絞り２とシャッタ３との配置は、図１の構成例に限られるものではなく、撮像レンズ１の構成に応じて他の配置であっても良い。例えばシャッタ３が、第２レンズエレメントＧ２と第３レンズエレメントＧ３との間に配置され、２つのレンズエレメントＧ１，Ｇ２を挟んで光学的開口絞り２に対して像側に配置されていても良い。
【００１８】
光学的開口絞り２は、開口の大きさが固定の固定絞りであっても良いし、開口の大きさが変化する可変絞りであっても良い。光学的開口絞り２を可変絞りにすることにより、絞り径を変えてＦナンバーの調整を行うことができる。
【００１９】
シャッタ３は、例えば図４に示したように１枚のシャッタ羽根３１を、回動軸３２を中心に回転往復運動させることにより露光開口３０を開閉させる１枚羽根タイプのもので構成されている。図４の構成例では、シャッタ羽根３１の露光開口３０側の部分３３が直線状となっている。なお、図４ではシャッタ羽根３１の回動軸３２を左上にしているが、この回動軸３２の位置はどこにあっても良い。このようなシャッタ羽根３１の場合、回動軸３２が左上にあり、時計回りに閉じ始めるものとすると、露光開口３０において光束が直線状に、右上の領域から左下の領域に斜めに遮光されて行く。この場合、撮像面において例えば図１７に示したような非対称な光量むらが生じてしまう。
【００２０】
ＮＤフィルタ４は、このようなシャッタ３の開閉動作に応じて生ずる撮像面での光量むらを補正するために、シャッタ３の閉じ動作に先立って、露光時に撮像レンズ１の光路中に挿入されるようになっている。なお、図１の構成例では、ＮＤフィルタ４を撮像レンズ１の最も像側にある第３レンズエレメントＧ３と面撮像素子５との間に配置しているが、ＮＤフィルタ４の配置位置は、これに限られるものではない。例えば図２に示したように撮像レンズ１の最も物体側（第１レンズエレメントＧ１の前側）に配置しても良い。また、撮像レンズ１の内部（レンズエレメント間）に配置しても良い。例えば図３に示したように、第１レンズエレメントＧ１と第２レンズエレメントＧ２との間に配置しても良い。ただし、撮像レンズ１を通過する光束は、像面側に行くほど中心部の光束と周辺部の光束とが分離し、各光束が細くなる傾向にあるため、ＮＤフィルタ４をなるべく像面側に配置した方が、撮像面において細分化した領域ごとの細かな光量調整が容易となる。
【００２１】
ＮＤフィルタ４は、例えば図５に示したように、撮像面の有効エリアに対応する四角形状を成し、支持枠４１に嵌め込まれて一体化されている。ＮＤフィルタ４は、支持枠４１の回動軸４２を中心に回転往復運動させることにより、撮像レンズ１の光路に対して挿脱可能となっている。なお、図５では、ＮＤフィルタ４の回動軸４２を右下にしているが、この回動軸４２の位置はどこにあっても良い。
【００２２】
ＮＤフィルタ４は、シャッタ羽根３１の移動に応じて生ずる光量むらに対応する濃度分布を有している。図６は、その濃度分布の一例を示している。なお、図６に示した数値は、値が大きいほど濃度が濃いことを示す。シャッタ羽根３１が図４に示した構成であると、図１７に示したように、撮像面においてシャッタ羽根３１が閉じ終わる左下の領域の方が、シャッタ羽根３１が閉じ始める右上の領域に比べて露光量が多くなる。これに対応して、ＮＤフィルタ４は、シャッタ羽根３１が閉じ始める右上の領域から閉じ終わる左下の領域に向かって濃度が次第に濃くなる濃度分布を有している。このような濃度分布のＮＤフィルタ４をシャッタ羽根３１の閉じ動作に先立って光路中に挿入することで、撮像面において全体的に光量分布が一様になるようにしている。なお、ＮＤフィルタ４の濃度分布は、図６に示したようにシャッタ羽根３１の移動（回旋）軌跡に対応したものであることが望ましいが、製造性を考慮し、単純なグラデーションで近似しても良い。図７に、図６の濃度分布を単純化して構成されたＮＤフィルタ４Ａの一例を示す。図７のような単純なグラデーションで近似しても、図６のＮＤフィルタ４とほぼ同様の効果を得ることができる。
【００２３】
なお、ＮＤフィルタ４の濃度分布は図６および図７に示したものに限らず、シャッタ３の構成に応じて種々のものが考えられる。例えば、図８に示したように露光開口３０を横切る部分３４が曲線状となっているシャッタ羽根３１Ａの場合、ＮＤフィルタ４の濃度分布もそれに対応したものにすることが望ましい。図９に、図８のシャッタ羽根３１Ａに対応した濃度分布を有するＮＤフィルタ４Ｂの一例を示す。ＮＤフィルタ４Ｂでは、曲線状の形状を有するシャッタ羽根３１Ａに対応して濃度分布も曲線状にしている。
【００２４】
また、撮影条件の違いによってもＮＤフィルタ４の濃度分布を変えた方が好ましい場合が考えられる。この場合、互いに濃度分布の異なるＮＤフィルタ４を複数有し、撮影条件に応じて、複数のＮＤフィルタ４を選択的に使用するようにしても良い。例えばＦナンバーやシャッタスピード等の撮影条件の違いに応じた最適な濃度分布を有するＮＤフィルタ４を複数用意し、それらを選択的に使用するようにしても良い。
【００２５】
次に、以上のように構成された撮像装置の動作を説明する。
この撮像装置は、通常の状態では、制御部１６の制御により、光学的開口絞り２およびシャッタ３は開状態とされ、また、ＮＤフィルタ４も光路から外れた状態とされている。この状態で、撮像レンズ１によって結像された被写体像が撮像素子５に入射すると、撮像素子駆動部１３からのタイミングパルスに応じて撮像素子５の撮像信号が順次読み出される。撮像信号は、制御部１６の制御により信号処理回路１４で所定の画像処理を施された後、図示しない表示部に表示される。撮影者は、表示部に表示された画像を見て、操作部１５の調整スイッチを操作してあらかじめ撮影条件（Ｆナンバー等）を設定する。撮影条件を設定したら、撮影者は操作部１５の撮影スイッチをオンして撮影開始を指示する。
【００２６】
図１０は、露光時（撮影時）の動作タイミングを示している。図１０において縦軸は光量、横軸は時間を示している。図１０において斜線部分が撮影時の総露光量となる。時刻Ｔ１で撮影スイッチがオンされると、制御部１６はフィルタ駆動部１２を制御してＮＤフィルタ４を光路中に挿入する（時刻Ｔ２）。その後、撮像素子５において信号電荷の蓄積を開始（露光開始）する（時刻Ｔ３）。あらかじめ設定された所定期間経過後、制御部１６がシャッタ駆動部１１を制御してシャッタ３の閉じ動作を開始する（時刻Ｔ４）。シャッタ３によって露光開口が完全に閉じられた時点で露光は終了する（時刻Ｔ５）。すなわち、時刻Ｔ３〜時刻Ｔ４はシャッタの開放状態、時刻Ｔ４〜時刻Ｔ５でシャッタの閉じ動作が行われる。そして、制御部１６の制御により、撮像素子５において時刻Ｔ３〜時刻Ｔ５までに蓄積された信号電荷が撮像信号として読み出され、信号処理回路１４で所定の画像処理を施された後、図示しない画像メモリに撮影データとして記録される。露光終了後、シャッタ３は再び開状態となり、ＮＤフィルタ４は再び光路から外れた状態となるように制御される。また、撮像素子５における信号電荷がリフレッシュされる。なお、露光期間は、例えば撮影者による撮影条件のマニュアル指定もしくは装置側での自動露光制御により決定される。このようにシャッタ３の閉じ動作に先立って、光量むら補正用のＮＤフィルタ４が挿入され、露光が行われる。これにより、撮像面における光量分布の非対称性が緩和される。
【００２７】
以上説明したように、本実施の形態に係る撮像装置によれば、光学的開口絞り２を最も物体側に配置するようにしたので、テレセントリック性の確保が容易となる。また、シャッタ３を撮像レンズ１のレンズエレメント間に配置しているので、小型化が容易となる。さらに、不均一な濃度分布を有するＮＤフィルタ４を光量むら補正手段として露光時に撮像レンズ１の光路中に挿入するようにしたので、光軸１０上で光学的開口絞り２とシャッタ３との配置位置が異なること、およびシャッタ３の開閉機構が１枚羽根タイプという単純な機構であることに起因する光量むらを補正することができる。これらにより、小型化と撮像面でのテレセントリック性とを満足しつつ、撮影時における光量分布の非対称性を光学的に改善することができる。
［第２の実施の形態］
【００２８】
次に、本発明の第２の実施の形態に係る撮像装置について説明する。なお、上記第１の実施の形態に係る撮像装置と実質的に同一の構成部分には同一の符号を付し、適宜説明を省略する。
【００２９】
図１１は、本発明の第２の実施の形態に係る撮像装置の構成例を示している。上記第１の実施の形態に係る撮像装置では、光量むら補正手段としてのＮＤフィルタ４を備えていたが、本実施の形態に係る撮像装置は、ＮＤフィルタ４に代えて遮光板６を備えている。また、フィルタ駆動部１２に代えて遮光板駆動部１７を備えている。その他の構成は、図１の構成と同様である。
【００３０】
遮光板６は、ＮＤフィルタ４と同様、シャッタ３の開閉動作に応じて生ずる撮像面での光量むらを補正するために、シャッタ３の閉じ動作に先立って、露光時に撮像レンズ１の光路中に挿入されるようになっている。遮光板６は、例えば図１３に示したように、撮像面の有効エリアの一部を遮光する遮光エリア６Ａを有している。遮光板６は、その回動軸６０を中心に回転往復運動させることにより、撮像レンズ１の光路に対して挿脱可能となっている。
【００３１】
遮光板６は、シャッタ羽根３１の移動に応じて生ずる光量むらに対応する遮光エリア６Ａを有している。シャッタ羽根３１が図４に示した構成であると、図１７に示したように、撮像面においてシャッタ羽根３１が閉じ終わる左下の領域の方が、シャッタ羽根３１が閉じ始める右上の領域に比べて露光量が多くなる。これに対応して、遮光板６は、露光量が多くなる左下の領域を遮光するようになっている。このような遮光板６をシャッタ羽根３１の閉じ動作に先立って光路中に挿入することで、撮像面において左下の領域と右上の領域とにおける光量分布の差が小さくなり、不均一性が軽減される。
【００３２】
なお、図１３では、遮光板６の回動軸６０を右下にしている。これは、シャッタ羽根３１の回動軸３２が図４に示したように左上にあり、時計回りに閉じる機構であるものとすると、遮光板６の回動軸６０の回動軸６０をそれとは対称的な右下の位置にすることで、露光量の多くなる左下部分を遮光させやすいからである。ただし、光量の多くなる部分を遮光することができるような機構を実現できるのであれば、回動軸６０の位置はどこにあっても良い。また、図１１の構成例では、遮光板６を撮像レンズ１の第１レンズエレメントＧ１と第２レンズエレメントＧ２との間に配置しているが、遮光板６の配置位置は、これに限られるものではない。例えば図１２に示したように撮像レンズ１の最も物体側（第１レンズエレメントＧ１の前側）に配置しても良い。ただし、遮光板６を像面近傍に配置するのは好ましくない。遮光板６はＮＤフィルタ４とは異なり、局所的に光束を完全に遮断するが、像面近傍では中心部の光束と周辺部の光束とが分離し、各光束が細くなっているために、撮像面の有効エリアを局所的に完全に遮光する形となり、露光量を均一に調整するのが難しくなるためである。このため、遮光板６を配置する位置は、光学的開口絞り２の近傍が望ましい。光学的開口絞り２の近傍であれば、撮像面の有効エリアが局所的に完全に遮光されてしまうようなことはない。
【００３３】
ここで、遮光板６による遮光量（遮光エリア６Ａの大きさ）は、撮影条件の違い（光学的開口絞り２の絞り径、Ｆナンバー）に応じて変えた方が好ましい。絞り径が小さい場合には、絞り径が大きい場合に比べて遮光量は小さい方が良い。このため、遮光板６の光路に対する挿入量が調整可能に構成されていることが好ましい。これは、遮光板６の回転移動量を制御することで実現できる。
【００３４】
また、互いに遮光エリア６Ａの大きさの異なる遮光板６を複数有し、撮影条件に応じて、複数の遮光板６を選択的に使用するようにしても良い。例えば図１４に示したように、大きめの遮光エリア６Ｂを有する遮光板６１を用意し、図１３に示した小さめの遮光エリア６Ａを有する遮光板６と切り替えて使用するようにしても良い。例えば絞り径が小さい場合には小さい遮光板６を使用し、絞り径が大きい場合には大きい遮光板６１を使用すれば良い。用意する遮光板の種類を増やすことで撮影条件に応じた細かい制御ができる。
【００３５】
次に、以上のように構成された撮像装置の動作を説明する。
この撮像装置の撮影動作は、ＮＤフィルタ４の駆動制御が遮光板６の駆動制御に変わるだけで、基本的に上記第１の実施の形態に係る撮像装置と同様である。すなわち、通常の状態では、制御部１６の制御により、光学的開口絞り２およびシャッタ３は開状態とされ、また、遮光板６１も光路から外れた状態とされている。この状態で、撮像レンズ１によって結像された被写体像が撮像素子５に入射すると、撮像素子駆動部１３からのタイミングパルスに応じて撮像素子５の撮像信号が順次読み出される。撮像信号は、制御部１６の制御により信号処理回路１４で所定の画像処理を施された後、図示しない表示部に表示される。撮影者は、表示部に表示された画像を見て、操作部１５の調整スイッチを操作してあらかじめ撮影条件（Ｆナンバー等）を設定する。撮影条件を設定したら、撮影者は操作部１５の撮影スイッチをオンして撮影開始を指示する。
【００３６】
図１５は、露光時（撮影時）の動作タイミングを示している。図１５において縦軸は光量、横軸は時間を示している。図１５において斜線部分が撮影時の総露光量となる。時刻Ｔ１で撮影スイッチがオンされると、制御部１６は遮光板駆動部１７を制御して遮光板６を光路中に挿入する（時刻Ｔ２）。その後、撮像素子５において信号電荷の蓄積を開始（露光開始）する（時刻Ｔ３）。あらかじめ設定された所定期間経過後、制御部１６がシャッタ駆動部１１を制御してシャッタ３の閉じ動作を開始する（時刻Ｔ４）。シャッタ３によって露光開口が完全に閉じられた時点で露光は終了する（時刻Ｔ５）。露光終了後、シャッタ３は再び開状態となり、遮光板６は再び光路から外れた状態となるように制御される。このようにシャッタ３の閉じ動作に先立って、光量むら補正用の遮光板６が挿入され、露光が行われる。これにより、撮像面における光量分布の非対称性が緩和される。
【００３７】
以上説明したように、本実施の形態に係る撮像装置によれば、露光量の多くなる部分を遮光する遮光板６を光量むら補正手段として露光時に撮像レンズ１の光路中に挿入するようにしたので、光軸１０上で光学的開口絞り２とシャッタ３との配置位置が異なること、およびシャッタ３の開閉機構が１枚羽根タイプという単純な機構であることに起因する光量むらを補正することができる。本実施の形態では、ＮＤフィルタ４を用いる場合に比べて細かい光量補正はできなくなるが、ＮＤフィルタ４のような濃度部分の加工精度がいらないので、低コストで実施できる。
【００３８】
なお、本発明は、上記各実施の形態に限定されず種々の変形実施が可能である。例えば上記各実施の形態では、シャッタ３として１枚羽根タイプのものを使用した場合の光量むらを補正する場合を例に説明したが、その他のタイプ（２枚羽根タイプ等）のシャッタにも適用可能である。ただし、１枚羽根タイプの方が光量むらが発生しやすく、本発明による光量むらの補正効果は大きい。
【図面の簡単な説明】
【００３９】
【図１】本発明の第１の実施の形態に係る撮像装置の全体構成を示す構成図である。
【図２】ＮＤフィルタの配置位置の他の例を示す構成図である。
【図３】ＮＤフィルタの配置位置のさらに他の例を示す構成図である。
【図４】シャッタの構成例を示す平面図である。
【図５】ＮＤフィルタの構成例を示す平面図である。
【図６】図４のシャッタの構成に対応したＮＤフィルタの濃度分布の第１の例を示す説明図である。
【図７】ＮＤフィルタの濃度分布の第２の例を示す説明図である。
【図８】シャッタの他の構成例を示す平面図である。
【図９】図８のシャッタの構成に対応したＮＤフィルタの濃度分布の一例を示す説明図である。
【図１０】本発明の第１の実施の形態に係る撮像装置における露光動作を示す説明図である。
【図１１】本発明の第２の実施の形態に係る撮像装置の全体構成を示す構成図である。
【図１２】遮光板の配置位置の他の例を示す構成図である。
【図１３】遮光板の第１の構成例を示す平面図である。
【図１４】遮光板の第２の構成例を示す平面図である。
【図１５】本発明の第２の実施の形態に係る撮像装置における露光動作を示す説明図である。
【図１６】対称的な光量分布の一例を示す説明図である。
【図１７】非対称な光量分布の一例を示す説明図である。
【符号の説明】
【００４０】
Ｇ１…第１レンズエレメント、Ｇ２…第２レンズエレメント、Ｇ３…第３レンズエレメント、１…撮像レンズ、２…光学的開口絞り、３…シャッタ、４，４Ａ，４Ｂ…ＮＤフィルタ、５…撮像素子、６，６１…遮光板、６Ａ，６Ｂ…遮光エリア、１０…光軸、１１…シャッタ駆動部、１２…フィルタ駆動部、１３…撮像素子駆動部、１４…信号処理回路、１５…操作部、１６…制御部、１７…遮光板駆動部、３１，３１Ａ…シャッタ羽根、３２，４２，６０…回動軸。
【図１】
2007256565.tif 000003
【図２】
2007256565.tif 000004
【図３】
2007256565.tif 000005
【図４】
2007256565.tif 000006
【図５】
2007256565.tif 000007
【図６】
2007256565.tif 000008
【図７】
2007256565.tif 000009
【図８】
2007256565.tif 000010
【図９】
2007256565.tif 000011
【図１０】
2007256565.tif 000012
【図１１】
2007256565.tif 000013
【図１２】
2007256565.tif 000014
【図１３】
2007256565.tif 000015
【図１４】
2007256565.tif 000016
【図１５】
2007256565.tif 000017
【図１６】
2007256565.tif 000018
【図１７】
2007256565.tif 000019